(57)【特許請求の範囲】
【請求項１】
壁紙糊付機に投入型ポンプによって供給される糊を収容する容器であって、
容器内に投入されたポンプから壁紙糊付機へ糊を送るホースを容器内側から外部へ取り出すための引き出し口を有する上蓋と、
前記上蓋の下部で前記容器内の上方に前記ポンプから延びるホースの収容空間を形成すると共に、ポンプ側を容器下方空間に吊り下げることのできる貫通孔を有する中蓋とを着脱可能に備えていることを特徴とする壁紙用糊容器。
【請求項２】
前記引き出し口は、上方が覆われて略水平方向に開口していることを特徴とする請求項１に記載の壁紙用糊容器。
【発明の詳細な説明】
【０００１】
【発明の属する技術分野】
本発明は、例えば室内壁面等に貼付されるシート状壁装材の裏面に連続的に糊を塗布する壁紙糊付機へ、投入型ポンプによって供給される糊を収容するための糊容器に関するものである。
【０００２】
【従来の技術】
従来から、建物の内装仕上げとして各種素材からなるシート状壁装材が壁面に貼付されている。通常このような壁紙の施工は、現場にて壁紙の裏面に糊を塗布し、順次壁面に貼付される。現在、壁紙への糊の塗布には壁紙糊付機が用いられている。この壁紙糊付機は、本体内に複数のロールと糊桶を備え、本体後方に支持された原反ロールから繰り出される壁装材を本体後部から引き入れ、内部の各種ロールで前方へ送り出しながら、途中の糊付ロールに壁装材裏面を接触させることによって糊桶の糊を塗布するものである。
【０００３】
また、現場で調製される糊は、壁紙糊付機の糊桶へ供給されるものであるが、糊付け作業工程において糊桶内の糊量が減った時点で糊桶内へ糊を補充するのでは、その度に糊付け作業を中断しなければならず作業効率が悪いため、現在では、多くの場合、ポンプ等によって連続的に糊桶へ糊を供給して糊付け作業の効率化を図っている。
【０００４】
このような連続的な糊の供給方法としては、図３に示すように、糊Ｎを収容している糊容器１０内に投入型ポンプＰを投入し、ポンプＰの吐出口に連結されたホースＨの端部を糊桶に接続することにより、ポンプＰ駆動でその吸引口から吸い込まれた周囲の糊Ｎが吐出口からホースへ送り出され、糊桶に連続的な糊Ｎの供給が行われるのが一般的である。
【０００５】
【発明が解決しようとする課題】
しかしながら、糊桶内の糊が減少した時点で糊を供給する場合には次の糊供給までの間、糊容器の蓋を閉めて容器内へゴミや塵が入って糊が汚れてしまうのを防ぐことができるが、上記のように、ポンプを投入して糊付け作業の工程中に亘って連続的に糊を供給する場合には糊容器に通常の蓋はできず、開放状態のままで作業を行っていた。
【０００６】
また、このような投入型ポンプを用いる糊付け作業では、作業終了後に使い終わったポンプおよびホースをそのまましまってしまうと内部に付着残留している糊が乾燥して固まってしまうため、水を逆循環させて内部を洗浄するという手間のかかる余分な作業を必要としていた。
【０００７】
本発明の目的は、上記問題点に鑑み、投入型ポンプを用いた連続的な糊供給を行う場合でも、作業中に内部にゴミや塵が入り込んで糊を汚すのを防ぐことができる壁紙用糊容器を提供することにある。
【０００８】
また、本発明は、糊供給作業が終了した後の投入型ポンプの内部を洗浄することなく収納でき、片付け作業の手間を省くことのできる壁紙用糊容器の提供を目的とする。
【０００９】
【課題を解決するための手段】
上記目的を達成するため、請求項１記載の発明に係る壁紙用糊容器は、壁紙糊付機に投入型ポンプによって供給される糊を収容する容器であって、
容器内に投入されたポンプから壁紙糊付機へ糊を送るホースを容器内側から外部へ取り出すための引き出し口を有する上蓋と、
前記上蓋の下部で前記容器内の上方に前記ポンプから延びるホースの収容空間を形成すると共に、ポンプ側を容器下方空間に吊り下げることのできる貫通孔を有する中蓋とを着脱可能に備えているものである。
【００１０】
また、請求項２に記載の発明に係る壁紙用糊容器は、請求項１に記載の壁紙用糊容器において、
前記引き出し口は、上方が覆われて略水平方向に開口していることを特徴とするものである。
【００１２】
本発明の壁紙用糊容器においては、容器内側から外部へホースを取り出せる引き出し口を上蓋に備えたものであるため、容器に投入型ポンプを投入したまま蓋ができ、ポンプの駆動で糊付機の糊桶へホースを介して連続的に糊を供給している間も、容器の開口が蓋で覆われ、ゴミや塵が上方から落ちてきても内部の糊が汚れるのを防ぐことができる。
【００１３】
このような引き出し口としては、蓋上面に貫通口を形成するのが最も簡便である。この貫通口は使用されるポンプホースと同程度の径とすれば、上方に開口していてもほぼホースで塞がれるのでこの貫通口からゴミや塵が入るという問題はほとんどない。
【００１４】
しかし、径の異なるホースの使用など、貫通口の径よりも細いホースとなり、ホース周りに隙間が生じる場合もある。そこで、請求項２に記載したように、引き出し口を上方が覆われて略水平方向に開口するものとすれば、ホース周りの隙間からもゴミなどは入り難くなる。
【００１５】
また、本発明による壁紙用糊容器は、貫通孔を有する中蓋を着脱可能に設けたものであるため、糊供給が終了した後はこの中蓋を容器内に設置し、貫通孔から容器の下方空間へポンプを吊り下げた状態で上方空間にホースを収納し、蓋を閉めることができる。
【００１６】
従って、容器内でほとんど外気に晒されることなくポンプおよびホースが収納できるため、ポンプおよびホースの内部の乾燥が防がれ、内部に付着残留している糊も固まることがなく、作業終了後に水逆循環洗浄を行う必要なくそのままで次回の糊供給作業まで置いておけるので、片付け作業の手間が省かれ、糊付け作業の工程全体の効率化に寄与する。
【００１７】
【発明の実施の形態】
本発明の一実施の形態による蓋付き壁紙用糊容器を図１に示す。図１の（ａ）は投入型ポンプによる糊供給時の糊容器全体の状態を示す全体断面図であり、（ｂ）は糊供給時の上蓋の構成を示す斜視図である。図１の（ｃ）はポンプ収納状態を示す縦断面図であり、（ｄ）はポンプ収納状態における容器の上方空間内を示す斜視図である。
【００１８】
本実施形態による壁紙用糊容器は、容器１とその上部開口を覆う専用の蓋部（上蓋）２を備えたものであり、この蓋部２には、容器１内に投入されたポンプ９から延びるホースＨを内側から外部へ取り出すことのできる引き出し口３を備えたものである。
【００１９】
従って、容器１内にポンプＰを投入し、このポンプＰから延びるホースＨを蓋部２の引き出し口３を通して出せば、容器１上を蓋部２で覆ったまま、ホースＨの端部を壁紙糊付機の糊桶へ装着することができるので、投入型ポンプＰによっる糊Ｎの糊桶への連続供給作業の間中、容器１内へゴミや塵が落下して糊Ｎが汚れるのを防ぐことができる。
【００２０】
特に本実施形態においては、引き出し口３は、上方が覆われて略水平方向に開口する形状を持つものとしたことによって、上方から落下してくるゴミなどがより入り込み難くなっている。
【００２１】
このように蓋部２の上面に引き出し口３を形成する場合には、貫通口を覆うように蓋部材を成形することによって、略水平方向に開口する引き出し口を形成することができる。略水平方向へ開口する引き出し口の構造としては、図１に示したものに限らず、蓋部の形状に応じて適宜設計すれば良い。
【００２２】
例えば図２に示すように、蓋部（上蓋）１２が、適度な高さを持つ外周側壁１１を持つ場合には、その外周側壁１１に貫通口を設けるだけで水平方向に開口した引き出し口１３を簡単に設けることができる。
【００２３】
さらに、本実施形態の容器１は、着脱可能に装着される中蓋４を備えているものである。この中蓋４には、貫通孔５が形成されており、糊供給作業が終了した後の容器１内に設置すれば、容器下方に形成される空間に貫通孔５からポンプＰをつり下げた状態で、容器上方に形成される空間にホースＨを収納することができる。
【００２４】
従って、このような収納状態で容器１上を蓋部２で覆えば、容器１内のポンプＰおよびホースＨはほとんど外気に晒されることなく内部の乾燥が防がれ、内部に付着残留している糊も固まることがないため、作業終了後に水逆循環洗浄を行う必要なくそのままで次回の糊供給作業まで置いておける。
【００２５】
なお、このような中蓋の容器への装着機構は、図１に示すような容器開口端縁に引っ掛けられる折り返し状の係止部６を凹型の中蓋の上端に設けるなど、容器に対する着脱が簡便であると共に、容器に蓋部を被せるのにほとんど影響を生じないものとする。
【００２６】
また、引き出し口は、上記実施形態に示したものに限らず、ホースを容器内側から外側へ取り出せるものであれば蓋部の形状に応じた設計を適宜選択すれば良いが、蓋部の製造工程において複雑な工程を加えることなく簡便に形成できるものであることが望ましい。
【００２７】
【発明の効果】
以上説明したとおり、本発明の壁紙用糊容器によれば、投入型ポンプによる壁紙糊付機への糊の連続供給の間に亘って、容器上方をホースによる支障なく蓋部で覆っておけるので、内部にゴミ等が入って糊が汚れるのを防ぐことができるという効果がある。
【００２８】
また、本発明の糊容器に着脱可能で貫通孔を有する中蓋を備えたことにより、糊容器内にポンプとホースを内部を乾燥させることなく収容しておくことができるため、糊供給作業終了の際に水循環洗浄等の手間のかかる片付け作業が省かれて、作業工程全体の効率化が図れるという効果がある。
【図面の簡単な説明】
【図１】本発明の一実施の形態による蓋付き壁紙用糊付機の概略構成図であり、（ａ）は投入型ポンプによる糊供給時の状態を示す全体断面図、（ｂ）は糊供給時の蓋部の構成を示す斜視図、（ｃ）は中蓋によるポンプ収納状態を示す縦断面図、（ｄ）はポンプ収納状態における容器の上方空間内を示す斜視図である。
【図２】図１とは異なる引き出し口構成を備えた蓋部の他の例を示す斜視図である。
【図３】従来の糊容器の説明図である。
【符号の説明】
１，１０：容器
２，１２：蓋部
３，１３：引き出し口
４：中蓋
５：貫通孔
６：係止部
１１：蓋部外周側壁
Ｎ：糊
Ｐ：投入型ポンプ
Ｈ：ホース
【図１】
0004005811.tif 000002
【図２】
0004005811.tif 000003
【図３】
0004005811.tif 000004